(57)【特許請求の範囲】
【請求項１】
左右の望遠光学系を収容する左右一対の鏡体と、前記鏡体を支持するためのフレームとを有し、前記鏡体を、前記望遠光学系に属する対物光学系の最も前方のレンズの光軸を中心として揺動可能に構成した双眼鏡において、
前記一対の鏡体の夫々の揺動軸部分を保持し前方に押し付ける一対の板部材と、前記鏡体の球面形状を有する所定の面が前方に当て付けられる前記フレーム内に設けられた被当接面との間で前記鏡体を前後に挟んで保持するよう構成されると共に、
前記一対の板部材を前記光軸に直交する面内における互いの相対位置が調節できるよう支持する支持部材をさらに備え、
前記一対の板部材の相対位置を調節することにより、前記左右の望遠光学系の相対的な方向を調節できるよう構成された、光軸調整可能な双眼鏡。
【請求項２】
前記支持部材は前記板部材の後方に位置すること、を特徴とする請求項１に記載の光軸調整可能な双眼鏡。
【請求項３】
前記鏡体の前記揺動軸部分と前記板部材との間にはボールが設けられており、前記板部材の夫々には前記ボールを受ける孔が形成されていること、を特徴とする請求項１または２に記載の光軸調整可能な双眼鏡。
【請求項４】
前記板部材の夫々には夫々ねじ孔が形成され、前記支持部材には前記ねじ孔に螺合するねじ部材が貫通する貫通孔が形成されていること、を特徴とする請求項１から３のいずれかに記載の光軸調整可能な双眼鏡。
【請求項５】
前記貫通孔は前記ねじ孔よりも所定量だけ大きく形成され、前記貫通孔に対する前記ねじ孔の位置を調節することにより、前記板部材の前記支持部材への取付位置を調節することができるよう構成された、請求項４に記載の光軸調整可能な双眼鏡。
【請求項６】
前記各板部材には前記ねじ孔が２つ以上形成され、前記各支持部材には前記貫通孔が２つ以上形成されていること、を特徴とする請求項４又は５に記載の光軸調整可能な双眼鏡。
【請求項７】
前記各板部材は、少なくとも一つのスリットを有し、前記支持部材には各スリットに対応する貫通孔が設けられており、前記貫通孔にはめ込まれる円筒部と、該円筒部の軸に対し所定量偏心して植設され前記スリットに係合する偏心ピンを有する治具を回転操作することにより、前記偏心ピンが前記スリットを付勢して前記板部材を移動するよう構成した、請求項１から６のいずれかに記載の光軸調整可能な双眼鏡。
【請求項８】
前記各板部材は２つ以上の前記スリットを有すること、を特徴とする請求項７に記載の光軸調整可能な双眼鏡。
【請求項９】
前記２つ以上のスリットは、互いに異なる方向に延びて形成されていること、を特徴とする請求項８に記載の光軸調整可能な双眼鏡。
【発明の詳細な説明】
【０００１】
【発明の属する技術分野】
本発明は、双眼鏡に関するものであり、より詳細には、左右の光軸を平行にする調節が可能な双眼鏡に関するものである。
【０００２】
【従来の技術】
従来より、左右の光軸を平行にする調節が可能な双眼鏡として、対物側の鏡筒内に内径が偏心したリングを設け、当該リングの中に外径が偏心したレンズ枠をさらに設け、リングとレンズ枠とを回動することによって光軸の調節を行う所謂二重偏心環タイプのものが知られている。また、プリズムの位置・角度を調節して光軸の調整を行うタイプの双眼鏡も知られている。
【０００３】
【発明が解決しようとする課題】
しかしながら、二重偏心環タイプの双眼鏡は、二重偏心環を設けることにより対物側の鏡筒内の構成が複雑になる上、レンズの組付作業が煩雑になるという問題点があった。また、プリズムの角度を調節するタイプの双眼鏡では、衝撃によってプリズムの角度がずれてしまい、光学性能が低下してしまうという問題点がある。
【０００４】
本発明は、上記の事情に鑑み、構成が簡単で、且つ衝撃等により光学性能が低下することが無い、光軸調整可能な双眼鏡を提供することを目的とするものである。
【０００５】
【課題を解決するための手段】
上記の課題を解決するため、本発明による光軸調整可能な双眼鏡は、一対の鏡体の夫々の揺動軸部分を保持し前方に押し付ける一対の板部材と、鏡体の所定の面が前方に当て付けられる被当接面と、の間で鏡体を前後に挟んで保持するよう構成すると共に、一対の板部材を光軸に直交する面内における互いの相対位置が調節できるよう支持する支持部材をさらに備えて構成したものである。そして、一対の板部材の相対位置を調節することにより、左右の鏡体の光学系全体の相対的な方向が調節できるように構成したものである。
【０００６】
このように構成されているため、鏡筒の内部に二重偏心環などの部材を設ける必要が無く、構成が簡単になる。また、プリズムの角度を調整するタイプの双眼鏡に比べ、衝撃によるプリズムの角度がずれる心配が無いため、確実に光学性能が保持される。
【０００７】
なお、上記の鏡体の所定の面を球面形状に構成すれば、左右の鏡体の方向が変化しても当該所定の面と被当接面との当接を保つことができる。また、各鏡体の揺動軸部分と板部材との間にボールを介在させると、鏡体を揺動可能に保持するための構成がより簡単になる。
【０００８】
また、各板部材に夫々ねじ孔を形成し、ねじ孔に螺合するねじ部材が貫通する貫通孔を支持部材に形成することが可能である。この場合、貫通孔をねじ孔よりも所定量だけ大きく形成すれば、貫通孔に対するねじ孔の位置を調節することによって板部材の支持部材への取付位置を調節することが可能になる。
【０００９】
各板部材に少なくとも一つのスリットを設け、支持部材に各スリットに対応する貫通孔を設けた構成も可能である。そして、貫通孔にはめ込まれる円筒部と、該円筒部の軸に対し所定量偏心して植設されスリットに係合する偏心ピンを有する治具を回転操作することにより、偏心ピンがスリットを付勢して板部材を移動できるよう構成しても良い。このようなスリットを各板部材に２つ以上設ければ、調節がより容易になる。
【００１０】
【発明の実施の形態】
以下、本発明の実施の形態について説明する。
図１は、実施形態の双眼鏡１の外観形状を示す斜視図であり、図２は双眼鏡１の光学系を示す概略図である。図２に示すように、双眼鏡１は、左右一対の望遠光学系１０Ｌ、１０Ｒを有している。左の望遠光学系１０Ｌは、対物光学系を構成する第１及び第２レンズ１１Ｌ，１２Ｌ、ポロプリズム正立光学系を構成する２つのプリズム１３Ｌ，１４Ｌ、及び接眼光学系を構成する第３及び第４レンズ１５Ｌ，１６Ｌにより構成されている。第２、第３、第４レンズ１２Ｌ，１５Ｌ，１６Ｌは、第１レンズ１１Ｌの光軸ＯLに対し所定量偏心している。また、第２レンズ１２Ｌと第３レンズ１５Ｌの間には、視野を限定する視野枠１７Ｌが設けられている。
【００１１】
同様に、右の望遠光学系１０Ｒは、対物光学系を構成する第１及び第２レンズ１１Ｒ，１２Ｒ、ポロプリズム正立光学系を構成する２つのプリズム１３Ｒ，１４Ｒ、及び接眼光学系を構成する第３及び第４レンズ１５Ｒ，１６Ｒにより構成されている。第２、第３、第４レンズ１２Ｒ，１５Ｒ，１６Ｒは、第１レンズ１１Ｒの光軸ＯRに対し所定量偏心している。また、第２レンズ１２Ｒと第３レンズ１５Ｒの間には、視野を限定する視野枠１７Ｒが設けられている。
なお、以後の説明において、双眼鏡１の第１レンズ１１Ｌ，１１Ｒ側を前方とし、第４レンズ１６Ｌ，１６Ｒ側を後方とする。
【００１２】
図１に示す双眼鏡１は、接眼部１８，１９が、左右の第１レンズ１１Ｌ，１１Ｒを通る光軸ＯL，ＯRを中心として、図中矢印で示す方向に揺動することにより、観察者の眼幅に合わせて接眼部１８，１９の間隔を調節できるよう構成されているものである。以下、この眼幅調整のための構成について説明する。
【００１３】
図３は双眼鏡１の分解斜視図である。左右の望遠光学系１０Ｌ，１０Ｒ（図２）は、左右一対の鏡体３，４に収容されている。鏡体３は、第１レンズ１１Ｌの光軸ＯLを中心とする円筒部材である第１鏡筒３１と、該第１鏡筒に対し所定量偏心して設けられた第３鏡筒３３と、両鏡筒の中間の第２鏡筒３２により構成されている。第１レンズ１１Ｌは第１鏡筒３１に収容され、第２レンズ１２Ｌとプリズム１３Ｌ，１４Ｌ（図２）は第２鏡筒３２に収容される。第３及び第４レンズ１５Ｌ，１６Ｌ（図２）は第３鏡筒３３に収容され、この第３鏡筒３３の後部が接眼部１８となる。
【００１４】
同様に、鏡体４は、第１レンズ１１Ｒの光軸ＯRを中心とする円筒部材である第１鏡筒４１と、該第１鏡筒に対し所定量偏心して設けられた第３鏡筒４３と、両鏡筒の中間の第２鏡筒４２により構成されている。第１レンズ１１Ｒは、第１鏡筒４１に収容され、第２レンズ１２Ｒとプリズム１３Ｒ，１４Ｒ（図２）は第２鏡筒４２に収容される。第３及び第４レンズ１５Ｒ，１６Ｒ（図２）は第３鏡筒４３に収容され、この第３鏡筒４３の後部が接眼部１９となる。
【００１５】
左右の鏡体３，４は、フレーム２と押え板５（支持部材）により前後に挟まれて支持されている。フレーム２には、左右一対の円形のボア２１，２２が形成されており、第１鏡筒３１，４１がボア２１，２２に挿入されると、第１鏡筒３１，４１の外周面とボア２１，２２の内周面とが摺接するよう構成されている。また、フレーム２の上端部には、後方に向かって延び、後端面にねじ孔を有する左右一対の延出部２５，２６が形成されている。また、フレーム２の下端には、後方に向かって延び、後端面にねじ孔を有する延出部２７が形成されている。
【００１６】
第２鏡筒３２，４２の後端で且つ光軸ＯL，ＯRの延長線上には、窪み３２１，４２１が形成されている。押え板５には、第２鏡筒３２，４２の後方に夫々位置する２枚の板部材７，８が取り付けられており、板部材７，８には、第２鏡筒３２，４２の窪み３２１，４２１に対応する位置に孔７３，８３が形成されている。そして、押え板５は、第２鏡筒３２，４２の窪み３２１，４２１と板部材７，８の孔７３，８３との間にボールＢ，Ｂを挟んだ状態で、フレーム２の延出部２５，２６，２７にねじ止めされる。
かくして、左右の鏡体３，４は、フレーム２と押え板５との間に挟まれた状態で、光軸ＯL，ＯRを中心に揺動可能に保持される。
【００１７】
なお、フレーム２に対する左右の鏡体３，４の光軸ＯL，ＯR方向の位置決めのため、第１鏡筒３１，４１の外周にはショルダー３１１，４１１が形成されており、ボア２１，２２の内部にはショルダー３１１，４１１に当接する当接部２１１，２２１（２２１は図示せず）が設けられている。押え板５により後方から付勢されることにより、ショルダー３１１，４１１が当接部２１１，２２１に当接し、フレーム２に対する左右の鏡体３，４の光軸方向の位置決めがなされる。
【００１８】
実施形態の双眼鏡１は、第１レンズ１１Ｌ，１１Ｒを光軸ＯL，ＯRに沿って移動することにより焦点調整を行い、右の第１レンズ１１Ｒを光軸ＯRに沿って移動することにより左右の視度差の調整を行うよう構成されている。また、双眼鏡１は、第２レンズ１２Ｌ，１２Ｒ（図２）と第３レンズ１５Ｌ，１５Ｒ（図２）を光軸ＯL，ＯRと平行に移動することにより変倍を行うよう構成されている。
【００１９】
焦点調整を行うための回転操作つまみ９１はフレーム２の上部に配置され、視度差調整及び変倍操作を行うためのための回転操作つまみ９２，９３は、押え板５の後方の後端カバー６の上部に配置されている。ここでは、焦点調整・視度差調整・変倍のための構成についての説明は省略する。
【００２０】
次に、光軸調整のための構成について説明する。
図４は、フレーム２と左右の鏡体３，４を示す平面図である。実施形態の双眼鏡は、左右の板部材７，８の押え板５への取付位置を調節することによって、図中矢印で示すように左右の鏡体３，４の光軸の方向を調節できるよう構成されている。前述の第１鏡筒３１，４１のショルダー３１１，４１１は球面形状（半径Ｒ）に形成されており、鏡体３，４の方向を可変した場合でも、当接部２１１，２２１（図３）との当接が保たれるよう構成されている。
【００２１】
図５に板部材７，８の形状を示し、図６に押え板５の形状を示す。図６に示すように、押え板５の上端と下端には夫々一対の貫通孔５６Ｌ，５６Ｒ，５７Ｌ，５７Ｒが形成されている。４本のねじ（図示せず）を貫通孔５６Ｌ，５６Ｒ，５７Ｌ，５７Ｒを貫通させ、フレーム２の延出部２５，２６，２７（図３）の後端面のねじ孔に螺合させることにより、押え板５がフレーム２（図３）に固定される。
【００２２】
図５に示すように、板部材７の上部及び右下部には、ねじ孔７４，７５が形成されている。ねじを、押え板５に形成された貫通孔５４Ｌ，５５Ｌ（図６）を貫通させてねじ孔７４，７５に螺合させることにより、板部材７を押え板５に固定することができる。貫通孔５４Ｌ，５５Ｌは、当該貫通孔に対するねじ孔７４，７５の位置が調整できるように、ねじ孔７４，７５よりも十分大きく形成されている。
【００２３】
同様に、板部材８の上部及び左下部にはねじ孔８４，８５が形成され、ねじを、押え板５に形成された貫通孔５４Ｒ，５５Ｒ（図６）を貫通させてねじ孔８４，８５に螺合させることにより、板部材８を押え板５に固定することができる。貫通孔５４Ｒ，５５Ｒは、当該貫通孔に対するねじ孔８４，８５の位置が調整できるように、ねじ孔８４，８５よりも十分大きく形成されている。
【００２４】
このように構成されているため、押え板５の貫通孔５４Ｌ，５５Ｌに対し、板部材７のねじ孔７４，７５の位置を調整することによって、押え板５に対する板部材７の取付位置を調節することができる。また、押え板５の貫通孔５４Ｒ，５５Ｒに対する板部材８のねじ孔８４，８５の位置を調整することによって、押え板５に対する板部材８の取付位置を調節することができる。板部材７，８は前述の孔７３，８３でボールＢ，Ｂを（図３）受けるよう構成されているため、板部材７，８の取付位置を調節すれば、左右の鏡体３，４の全体の方向を変化させることができる。
【００２５】
押え板５に対する板部材７，８の取付位置の調節は、図７に示すように行われる。調節をより簡単にするため、板部材７には水平に延びるスリット７１と垂直に延びるスリット７２が形成され、押え板５のスリット７１，７２に相当する位置には、貫通孔５１Ｌ，５２Ｌが形成されている。同様に、板部材８には水平に延びるスリット８１と垂直に延びるスリット８２が形成され、押え板５のスリット８１，８２に相当する位置には、貫通孔５１Ｒ，５２Ｒが形成されている。
【００２６】
押え板５に対する板部材７，８の取付位置の調節のために、調節治具１００が使用される。調節治具１００は円筒グリップ１０２と、円筒グリップ１０２の中心軸に対し所定量偏心して植設されたピン１０１とにより構成されている。押え板５の貫通孔５１Ｌ，５２Ｌ及び貫通孔５１Ｒ，５２Ｒは、調節治具１００の円筒グリップ１０２が係合する内径を有し、板部材７のスリット７１，７２及び板部材８のスリット８１，８２は、ピン１０１が係合する幅を有している。
【００２７】
このように構成されているため、板部材７のねじ孔７４，７５及び板部材８のねじ孔８４，８５に夫々螺合しているねじ（図示せず）を緩めた後、調節部材１００を４つの貫通孔のいずれかに嵌め込み、当該貫通孔に対応するいずれかのスリットに偏心ピン１０１を係合させた状態で回動することにより、偏心ピン１０１がスリットを付勢し、板部材７あるいは板部材８を鉛直及び水平方法に移動調節することができる。そして、一旦緩めた上記ねじ（図示せず）を締めることにより、所望の位置で板部材７あるいは板部材８を固定することができる。
【００２８】
図７（ｂ）に左右の板部材７，８の取付位置調節の具体例を示す。調節治具１００の円筒グリップ１０２を押え板５の貫通孔５２Ｌに嵌め込み、スリット７２が左に移動するよう調節治具を回動させることにより、図７（ｂ）に示すように、左の板部材７の取付位置を水平方向・左側に移動させることができる。また調節治具１００の円筒グリップ１０２を押え板５の貫通孔５１Ｒに嵌め込み、スリット８１が上に移動するよう調節治具を回動させることにより、図７（ｂ）に示すように、右の板部材８の取付位置を鉛直方向・上方に移動させることができる。
【００２９】
このように、本実施形態の双眼鏡では、左右の鏡体３，４を板部材７，８と押え板５により保持すると共に、押え板５に対する左右の板部材７，８の取付位置を鉛直及び水平方向（即ち、光軸に直交する平面内）において調節できるよう構成している。そのため、押え板５に対する左右の板部材７，８の取付位置を調節するだけで左右の鏡体３，４の光学系全体の方向を調節することが可能になり、従って簡単な構成で左右の鏡体３，４の光軸調整を行うことが可能になる。また、プリズムの角度を調整するタイプの双眼鏡に比べ、衝撃によるプリズムの角度がずれる心配が無く、光学性能が確実に保たれる。
【００３０】
【発明の効果】
以上説明したように、本発明の眼幅調整可能な双眼鏡によると、一対の板部材の相対位置を調節することにより、一対の鏡体の光学系全体の方向を調節することが可能になる。従って、鏡筒内に二重偏心環などを設けることなく、簡単な構成で左右の光軸の調整を行うことが可能になる。
【図面の簡単な説明】
【図１】実施形態の双眼鏡の外観形状を示す斜視図である。
【図２】図１の双眼鏡の光学系を示す図である。
【図３】図１の双眼鏡の分解斜視図である。
【図４】図１の双眼鏡のフレームと左右の鏡体を示す平面図である。
【図５】板部材を示す背面図である。
【図６】押え板を示す背面図である。
【図７】板部材の押え板への取付を示す背面図である。
【符号の説明】
１            双眼鏡
２            フレーム
３，４        鏡筒
３１，４１  第１鏡筒
３１１，４１１  ショルダー
５            押え板
５１Ｌ，５１Ｒ，５２Ｌ，５２Ｒ    貫通孔
５４Ｌ，５４Ｒ，５５Ｌ，５５Ｒ    貫通孔
７，８        板部材
７１，７２，８１，８２  スリット
７４，７５，８４，８５  ねじ孔
１００        調節治具
１０１        偏心ピン
【図１】
0003723655.tif 000002
【図２】
0003723655.tif 000003
【図３】
0003723655.tif 000004
【図４】
0003723655.tif 000005
【図５】
0003723655.tif 000006
【図６】
0003723655.tif 000007
【図７】
0003723655.tif 000008